(57)【特許請求の範囲】
【請求項１】
払拭体の装着用の把持部と前記把持部を前端側に多段に回動傾斜させて連結固定する連結部と前記連結部の後端側に取着されるハンドルからなる払拭体保持具であり、前記把持部の幅方向への頭部貫通孔を軸芯とする略円筒状の頭部を前記把持部に突設し、前記頭部の周方向に複数の凹部を隔壁を介して周面及び端面に開口して形成し、前記連結部は、前記頭部の両端面を狭着し回動軸部を挿着して前記頭部を回動自在に軸支する軸受部と、前記軸受部に連接された操作管部と、前記操作管部に連接されたハンドル取着管から形成され、前記軸受部は前記凹部と同じ側に位置する軸受主突部と反対側に位置する軸受従突部からなり、軸受主突部には前記凹部に対面して連通する一部切欠部が形成され、前記軸受主突部に連続する前記操作管部の取付側面には操作用開口部が前記一部切欠部に連通して開口され、前記取付側面の後方側には取付用開口部が開口されてその内部を取付空間とし、前記取付側面には手指で操作可能な主操作片と先端にキー部を突設した従操作片からなるシーソートリガ部が配置され、前記シーソートリガ部から突設された一対の支点片を前記取付空間の周壁に取着して前記シーソートリガ部のシーソー動作を可能にし、前記主操作片と操作管部の間に配置されたスプリングにより前記主操作片は外方へと押圧付勢され、前記従操作片のキー部は前記操作用開口部及び前記一部切欠部から前記凹部へと没入して前記把持部の回動を阻止し、前記主操作片を手指により前記スプリングに抗して押下すると前記キー部は前記凹部から外方に抜脱して前記把持部の回動が自由になることを特徴とするトリガ式多段回動型払拭体保持具。
【請求項２】
前記一対の支点片の夫々に支点突起を突設し、前記取付空間を対向して囲む取付上板及び取付下板の対向面にシーソー用凹所を形成し、前記支点突起を前記シーソー用凹所に係合して、前記支点突起を支点として前記シーソートリガ部のシーソー動作を行う請求項１に記載のトリガ式多段回動型払拭体保持具。
【請求項３】
前記スプリングのコイル部は小径のコイル部で取付空間の内部に配置される請求項２に記載のトリガ式多段回動型払拭体保持具。
【請求項４】
前記コイル部にコイル軸を挿通し、前記コイル軸の両端を取付空間の周壁に取着する請求項３に記載のトリガ式多段回動型払拭体保持具。
【請求項５】
前記シーソートリガ部の一対の支点片の夫々に支点孔を開孔し、前記取付空間を対向して囲む取付上板及び取付下板の対向面にシーソー用凹所を形成し、前記スプリングのコイル部にコイル軸を挿通し、コイル軸の軸端の夫々を前記支点孔に挿通させ、更に前記シーソー用凹所に係合して、前記軸端を支点として前記シーソートリガ部のシーソー動作を行う請求項１に記載のトリガ式多段回動型払拭体保持具。
【請求項６】
コイル部の両端にスプリング長端とスプリング短端を有するキックスプリングを前記スプリングとして使用し、前記主操作片の裏面にスプリング長端用長溝を刻設し、前記取付側面の対向面にスプリング短端用溝を形成し、前記スプリング長端を前記スプリング長端用長溝に嵌め込み、前記スプリング短端を前記スプリング短端用溝に嵌め込んで、前記スプリングの横ずれを防止する請求項１〜５のいずれかに記載のトリガ式多段回動型払拭体保持具。
【請求項７】
前記取付側面の前記対向面に２本の突条を突設し、２本の前記突条の間に形成される溝を前記スプリング短端用溝として用いる請求項６に記載のトリガ式多段回動型払拭体保持具。
【請求項８】
前記軸受主突部に環状凹部を形成し、前記環状凹部の下面に環状板部を有し、前記環状板部に前記一部切欠部が形成され、前記回動軸部は回動軸と回動鍔からなり、前記回動鍔に前記一部切欠部に連通する鍔切欠部が形成され、前記回動鍔を前記環状凹部に嵌合し、前記キー部が前記鍔切欠部と前記一部切欠部を通して前記凹部に没入する請求項１〜７のいずれかに記載のトリガ式多段回動型払拭体保持具。
【請求項９】
前記軸受主突部には軸受主孔が開孔され、前記軸受従突部には軸受従孔が開孔され、前記回動軸部の回動軸は軸受主孔と頭部貫通孔と軸受従孔を挿通し、前記回動軸の端部は軸止部材と結合して把持部が回動自在に連結される請求項１〜８のいずれかに記載のトリガ式多段回動型払拭体保持具。
【請求項１０】
前記スプリングとしてコイルスプリングが使用され、主操作片の裏面にコイル上側止部が形成され、操作管部又はハンドル取着管にコイル下側止部が形成され、コイルスプリングのコイル上端を前記コイル上側止部に固定し、コイル下端を前記コイル下側止部に固定し、コイルスプリングにより前記主操作片を外方に押圧付勢する請求項１に記載のトリガ式多段回動型払拭体保持具。
【請求項１１】
前記従操作片のキー部を従操作片の裏面に突設する請求項１〜１０のいずれかに記載のトリガ式多段回動型払拭体保持具。
【請求項１２】
前記シーソートリガ部の主操作片の裏面に突板を突設し、操作管部の取付側面に長孔を形成し、シーソー動作により前記突板が前記長孔を出入可能にする請求項１〜１１のいずれかに記載のトリガ式多段回動型払拭体保持具。
【請求項１３】
請求項１〜１２のいずれかに記載のトリガ式多段回動型払拭体保持具を用い、前記把持部に払拭体を装着したことを特徴とする清掃具。
【発明の詳細な説明】
【技術分野】
【０００１】
本発明は払拭体を把持する把持部と手動操作されるハンドルと両者を連結する連結部から構成される払拭体保持具に関し、更に詳細には払拭体を把持する把持部をハンドルに対し多段に回動傾斜させて使用できる多段回動型払拭体保持具及び清掃具に関する。
【背景技術】
【０００２】
払拭体を把持する把持部をハンドルに対し多段に回動傾斜できる払拭体保持具に関して、特許文献１として特開２００１−２１８７１９号公報が知られている。特許文献１の部材符号で説明すると、柄（ハンドル）１の先端に２個の腕部（軸受突部）１３、１４を間隙部を介して対向配置し、ヘッド（把持部）６の後端に同方向に延びるボス１２を突設し、ボス１２を２個の腕部１３、１４の間隙部に挿し込んでボス１２を狭着する。次に、腕部１３の孔からボス１２の軸孔まで第１ストッパー１５を挿入し、コイルばね１０を介して第２ストッパー１６を他方の腕部１４の孔からボス１２の孔まで挿入し、第１ストッパー１５と第２ストッパー１６を相互に軸孔の中で係合して全体を一体に回動自在に連結する。ボス１２の軸孔には周方向に等間隔に位置決め凹部４２が形成され、第２ストッパー１６には位置決め係合部２８が周方向に突設され、位置決め係合部２８が位置決め凹部４２に係合すると、ヘッド６は回動不能になる。コイルばね１０に抗して第２ストッパー１６を押圧すると、コイルばね１０は短縮しながら第１ストッパー１５は外方に突出し、位置決め係合部２８は位置決め凹部４２から離脱してヘッド６は回動可能になる。そこで、ヘッド６を回動してゆくと、コイルばね１０の付勢力で隣の位置決め凹部４２に位置決め係合部２８が係合して、ヘッド６は傾斜した状態でロックされる。このようにして、ヘッド６を回動して多段の傾斜位置でロックすることができる。
【０００３】
特許文献２として特許第４３４７４６５号公報が存在する。特許文献２は、「角度調節式清掃具」であり、実質的に特許文献１と同様の構造を有している。特許文献１の用語を括弧内に示しながら特許文献２の部材符号で説明すると、把手部材（ハンドル）４の先端に間隙部を介して第１連結部（腕部）１０ａと第２連結部（腕部）１０ｂを対向形成し、払掃材（把持部、ヘッド）２の後端に前記間隙部に挿し込まれる連結部（ボス）１１を設け、連結部１１の内周には周方向に多数の凹部（位置決め凹部）２２を形成する。第１連結部１０ａに周方向に突条（位置決め係合部）１５を形成した第１部材（第１ストッパー）１３ａを挿入し、第２連結部１０ｂに圧縮ばね３３を介して第２部材（第２ストッパー）１３ｂを挿入して両者を軸孔１２の中で一体に係合する。
第２部材１３ｂの操作頭部３１を押圧して圧縮バネ３３を圧縮させながら第１部材１３ａを外方に突出させ、突条１５を凹部２２から離脱させて払掃材２を回動自由にする。払掃材２を少し回動させると、隣の凹部２２に突条１５が圧縮ばね３３の復元力で係合し、払掃材２を傾斜状態で固定できる。手指で操作頭部３１を押圧し続けると、払掃材２を多段の傾斜角度で傾斜ロックすることが可能である。
【０００４】
特許文献１と特許文献２はほぼ共通した構造を採用しており、回動軸部を構成する第１ストッパーと第２ストッパーが一体で前後してヘッドを多段に回動して傾斜ロックする機能を奏する。
しかし、ヘッドには掃除で汚染された払拭体が装着されており、回動軸部は払拭体に接近しているため、手指が汚れ易いといった課題が出現していた。同時に、掃除具の使用者の立場から見ると、多段の回動構造と傾斜ロックの構造がハンドルの内部に隠されて外部から全く視認できず、使用者がヘッドに無理な力を加えて、ロック構造が破損したり、ヘッドが折れるといった破断事故が生じる可能性があった。
【０００５】
そこで、特許文献３〜５のように、払拭体に近い回動軸部から離れたハンドル部位に押ボタンを配置して、押ボタンを押し込んで把持部を回動可能にする発明が為されるようになった。
特許文献３である特許第４１１３７４０号公報には、特許文献３の部材符号で説明すると、保持柄（ハンドル）２の先端に２個の支持体３３、３３を支持空間３４を介して対向させ、保持柄２の適当位置に操作孔４３を開口する。支持体（把持部、ヘッド）４の後端に回動連結部５を突設し、回動部３１の半分の周面には凹部３８ａ〜３８ｄが形成され、残りの半分の周面は小径の円筒となっている。保持柄２の先端側内部には、前記操作孔４３に突没する押圧釦７０が配置され、ロッド状の係合部６１を突設したロック部材６０が圧縮コイルスプリング６４を介して内設されている。
回動連結部５は支持空間３４に配置されて、２個の支持体３３、３３に狭着される。通常、圧縮コイルスプリング６４の付勢力によりロック部材６０は押圧され、押圧釦７０は操作孔４３から突出し、ロッド状の係合部６１は回動部３１の凹部３８ａ〜３８ｄのいずれかに係合して、支持体４は回動不能になっている。押圧釦７１を押下すると、圧縮コイルスプリング６４に抗してロック部材６０は横移動し、係合部６１は凹部から離脱し、支持体４は回動可能になる。押圧釦７１から手指を離しながら支持体４を回動させると、圧縮コイルスプリング６４の復元力により係合部６１が隣の凹部に自然に係合し、その位置で支持体４は傾斜状態でロックされる。このようにして、支持体４を適当な傾斜角度で多段に回動ロックすることができる。
【０００６】
特許文献４である特許第４０４１７０６号公報には、特許文献３と共通する符号部材として、保持柄２、支持体（把持部）４、凹部３８ａ〜３８ｄ、支持体３３、支持空間３４、回動連結部５、回動部３１、傾斜した押圧部７１ｂ、７２ｂを有する押圧釦７０、操作孔４３が存在し、それらの機能は特許文献３と同一である。特許文献４に固有の符号部材として、保持柄２の中に、同軸方向に案内軸５４と摺動本体５１とロッド状のロック部５３が一体形成されて配置され、摺動本体５１には摺動傾斜面５１ｅ、５１ｆが形成され、案内軸５４には圧縮コイルスプリング５５が外装されている。
押圧釦７０が操作孔４３から突出しているとき、圧縮コイルスプリング５５の付勢力によりロック部５３は凹部３８ａ〜３８ｄのいずれかに係合して回動部３１は回動不能になり、支持体４は回動不能に固定されている。押圧釦７０を押下して操作孔４３に没入させると、押圧釦７０に形成された傾斜状の押圧部７１ｂ、７２ｂが摺動傾斜面５１ｅ、５１ｆに摺動し、押圧分力によりロック部材５０と案内軸５４が圧縮コイルスプリング５５を圧縮してロック部５３が凹部３８ａ〜３８ｄから離脱し、回動部３１及び支持体４は回動可能に設定される。押圧釦７０から手指を離して支持体４を回動させると、隣の凹部にロック部５３が圧縮コイルスプリング５５の復元力で押し込まれ、支持体４は傾斜状態で回動不能にロックされる。このようにして、支持体４を適当な傾斜角度で多段に回動ロックすることができる。
【０００７】
特許文献５である特許第５０５２２４９号公報には、他の多段回動構造が示されている。特許文献３の部材符号で説明すると、手指で握る柄（ハンドル）１０の先端に周方向に複数の凹面３６を形成した取付部３１を突設する。払拭体を装着する本体（把持部、ヘッド）２０の先端に二股状の取付部３２、３２を突設し、その近傍のガイド孔（操作孔）６０には、中央に矩形孔を開口して上部が操作部５１になり下部がロック部５２になるロックピース５０がばね６１を介して内装されている。本体２０の内部には、軸装されたバネ４２と、凸部４１Ｆとくびれ部４１Ｃとストッパー面４１Ｄを有して前端に凸面４１Ａを形成した係合部材４１が配置され、凸部４１Ｆはバネ４２に内挿され、くびれ部４１Ｃは前記矩形孔を貫通し、凸面４１Ａは前記凹面３６に突合されている。
操作部５１がばね６１の付勢力でガイド孔６０から突出しているとき、ロック部５２がストッパ面４１Ｄに当接して係合部材４１は後退不能になって凸面４１Ａが凹面３６に突合し、本体２０は柄１０に対し回動不能に固定される。操作部５１を押圧してロックピース５０をバネ６１に抗して押下すると、ロック部５２はストッパ面４１Ｄから抜脱し、係合部材４１は後退可能になる。凸面４１Ａはばね４２の付勢力だけで凹面３６に当接しているから、本体２０を回動すると、凸面４１Ａは凹面３６に当接しながら隣の凹面３６に乗り移り、その状態で操作部５１から手指を離すとロックピース５０の全体がばね６１の復元力で上動し、操作部５１はガイド孔６０から突出し、ロック部５２はストッパ面４１Ｄに当接して、本体２０は傾斜状態で回動不能にロックされる。このようにして多段の傾斜ロックが可能になる。
【先行技術文献】
【特許文献】
【０００８】
【特許文献１】特開２００１−２１８７１９号公報
【特許文献２】特許第４３４７４６５号公報
【特許文献３】特許第４１１３７４０号公報
【特許文献４】特許第４０４１７０６号公報
【特許文献５】特許第５０５２２４９号公報
【発明の概要】
【発明が解決しようとする課題】
【０００９】
前述したように、共通構造を有する特許文献１及び特許文献２では、回動軸部を構成する第１ストッパーと第２ストッパーを凹部と凸部の関係で係脱自在にしてヘッドを多段に回動して傾斜ロックする機能を奏していた。しかし、ヘッドには掃除で汚染された払拭体が装着されているから、回動軸部が払拭体の近傍に位置しているため、手指が汚れ易いといった課題があり、同時に、掃除具の使用者の立場から見ると、多段の回動構造と傾斜ロックの構造がハンドルの内部に隠されて外部から全く視認できず、使用者がヘッドに無理な力を加えて、ロック構造が破損したり、ヘッドが折れるといった破断事故が生じる可能性があった。
【００１０】
そこで上記欠点を改善するために、特許文献３〜５のように、回動軸部から離れたハンドル部位に突没可能な押ボタンを配置して、押ボタンの突出状態では回動不能になり、押ボタンの没入状態で回動可能にする構造が採用されるようになった。
しかし、ハンドルの内部にロッド状の可動構造体を内蔵して押ボタンの突没により可動構造体を係脱させる構造を有しているから、可動構造体と押ボタン自体が小さな構造体であるため、押ボタンを回動軸部に近い位置に配置する以外に手段がなく、手指が払拭体により汚染される可能性は免れない。同時に、特許文献３〜５でも可動構造体はハンドルの内部に隠されて外部から視認できないから、使用者がヘッドに無理な力を加えて、ロック構造が破損したり、ヘッドが折れるといった破断事故が生じる可能性があった。
【００１１】
従って、本発明では、手指による操作片を回動軸部からできるだけ離れた位置に配置できる構造を取ることによって手指が払拭体により汚染される可能性を極減し、しかも多段に回動して傾斜ロックできる構造を外部から視認できる構造にして使用者の注意力を喚起し、ヘッドに無理な力を加えることが無く、ロック構造の破損やヘッドの切断といった事故を未然に防止することを目的とする。
【００１２】
具体的には、手指により操作されるシーソートリガ部をハンドルの外部側面に軸方向に配置し、シーソートリガ部は手指操作の主操作片とキー部を先端に設けた従操作片を支点の周りにシーソー動作可能に構成され、主操作片と従操作片を長く形成することにより、手指操作する位置を前記回動軸部から極力離れた位置に設けることが可能になる。また、手指により主操作片を押圧してキー部を凹部から抜脱させると、前記凹部が外部から視認でき、この押圧状態で把持部を回動させると凹部が回動する状態を視認できるので、使用者の注意力を喚起でき、把持部に無理な力を加えることが無く、ロック構造の破損やヘッドの切断といった事故を未然に防止することが可能になる利点を有する。
【課題を解決するための手段】
【００１３】
本発明は、上記課題を解決するために提案されたものであって、本発明の第１の形態は、払拭体の装着用の把持部と前記把持部を前端側に多段に回動傾斜させて連結固定する連結部と前記連結部の後端側に取着されるハンドルからなる払拭体保持具であり、前記把持部の幅方向への頭部貫通孔を軸芯とする略円筒状の頭部を前記把持部に突設し、前記頭部の周方向に複数の凹部を隔壁を介して周面及び端面に開口して形成し、前記連結部は、前記頭部の両端面を狭着し回動軸部を挿着して前記頭部を回動自在に軸支する軸受部と、前記軸受部に連接された操作管部と、前記操作管部に連接されたハンドル取着管から形成され、前記軸受部は前記凹部と同じ側に位置する軸受主突部と反対側に位置する軸受従突部からなり、軸受主突部には前記凹部に対面して連通する一部切欠部が形成され、前記軸受主突部に連続する前記操作管部の取付側面には操作用開口部が前記一部切欠部に連通して開口され、前記取付側面の後端側には取付用開口部が開口されてその内部を取付空間とし、前記取付側面には手指で操作可能な主操作片と先端にキー部を突設した従操作片からなるシーソートリガ部が配置され、前記シーソートリガ部から突設された一対の支点片を前記取付空間の周壁に取着して前記シーソートリガ部のシーソー動作を可能にし、前記主操作片と操作管部の間に配置されたスプリングにより前記主操作片は外方へと付勢され、前記従操作片のキー部は前記操作用開口部及び前記一部切欠部から前記凹部へと没入して前記把持部の回動を阻止し、前記主操作片を手指により前記スプリングに抗して押下すると前記キー部は前記凹部から外方に抜脱して前記把持部の回動が自由になるトリガ式多段回動型払拭体保持具である。
【００１４】
本発明の第２の形態は、前記一対の支点片の夫々に支点突起を突設し、前記取付空間を対向して囲む取付上板及び取付下板の対向面にシーソー用凹所を形成し、前記支点突起を前記シーソー用凹所に係合して、前記支点突起を支点として前記シーソートリガ部のシーソー動作を行うトリガ式多段回動型払拭体保持具である。
【００１５】
本発明の第３の形態は、コイル部の両端にスプリング長端とスプリング短端を有するキックスプリングを前記スプリングとして使用し、前記主操作片の裏面にスプリング長端用長溝を刻設し、前記取付側面の対向面にスプリング短端用溝を形成し、前記スプリング長端を前記スプリング長端用長溝に嵌め込み、前記スプリング短端を前記スプリング短端用溝に嵌め込んで、前記スプリングの横ずれを防止するトリガ式多段回動型払拭体保持具である。
【００１６】
本発明の第４の形態は、前記対向面に２本の突条を突設し、２本の前記突条の間に形成される溝を前記スプリング短端用溝として用いるトリガ式多段回動型払拭体保持具である。
【００１７】
本発明の第５の形態は、前記軸受主突部にを形成し、前記環状凹部の下面に環状板部を有し、前記環状板部に前記一部切欠部が形成され、前記回動軸部は回動軸と回動鍔からなり、前記回動鍔に前記一部切欠部に連通する鍔切欠部が形成され、前記回動鍔を前記環状凹部に嵌合し、前記キー部が前記鍔切欠部と前記一部切欠部を通して前記凹部に没入するトリガ式多段回動型払拭体保持具である。
【００１８】
本発明の第６の形態は、前記軸受主突部には軸受主孔が開孔され、前記軸受従突部には軸受従孔が開孔され、前記回動軸部の回動軸は軸受主孔と頭部貫通孔と軸受従孔を挿通し、前記回動軸の端部は軸止部材と結合して把持部が回動自在に連結されるトリガ式多段回動型払拭体保持具である。
【００１９】
本発明の第７の形態は、前記スプリングのコイル部は小径のコイル部で取付空間の内部に配置されるトリガ式多段回動型払拭体保持具である。
【００２０】
本発明の第８の形態は、前記コイル部にコイル軸を挿通し、前記コイル短軸の両端を取付空間の周壁に取着するトリガ式多段回動型払拭体保持具である。
【００２１】
本発明の第９の形態は、前記シーソートリガ部の一対の支点片の夫々に支点孔を開孔し、前記スプリングのコイル部にコイル軸を挿通し、コイル軸の軸端の夫々を前記支点孔に挿通させ、更に前記シーソー用凹所に係合して、前記軸端を支点として前記シーソートリガ部のシーソー動作を行うトリガ式多段回動型払拭体保持具である。
【００２２】
本発明の第１０の形態は、前記スプリングとしてコイルスプリングが使用され、主操作片の裏面にコイル上側止部が形成され、操作管部又はハンドル取着管にコイル下側止部が形成され、コイルスプリングのコイル上端を前記コイル上側止部で固定し、コイル下端を前記コイル下側止部で固定し、コイルスプリングにより前記主操作片を外方に押圧付勢するトリガ式多段回動型払拭体保持具である。
【００２３】
本発明の第１１の形態は、前記従操作片のキー部を従操作片の裏面に突設するトリガ式多段回動型払拭体保持具である。
【００２４】
本発明の第１２の形態は、前記シーソートリガ部の主操作片の裏面に突板を突設し、操作管部の取付側面に長孔を形成し、シーソー動作により前記突板が前記長孔を出入可能にするトリガ式多段回動型払拭体保持具である。
【００２５】
本発明の第１３の形態は、前記第１〜１２形態のいずれかに記載のトリガ式多段回動型払拭体保持具を用い、前記把持具に払拭体を装着した清掃具である。
【発明の効果】
【００２６】
本発明の第１の形態によれば、払拭体の装着用の把持部と前記把持部を前端側に多段に回動傾斜させて連結固定する連結部と前記連結部の後端側に取着されるハンドルからなる払拭体保持具が提供できる。把持部をハンドルに対し多段に回動傾斜できるから、掃除対象物に対し適切な角度に傾斜させて、証明灯やタンスや棚の目に見えない上側のハウスダストを簡単に清掃することができる。
前記把持部の幅方向への頭部貫通孔を軸芯とする略円筒状の頭部を前記把持部に突設し、前記頭部の周方向に複数の凹部を隔壁を介して周面及び端面に開口して形成するから、後述する軸受突部に狭着された頭部の頭部貫通孔を回動軸芯として把持部を回動でき、複数の凹部を回動固定孔として設けているから、多段に回動させて把持部の傾斜配置が可能になる。凹部は頭部の幅方向全長に形成してもよいし、幅方向の一部だけ切欠いて形成してもよい。
前記連結部は、前記頭部の両端面を狭着し回動軸部を挿着して前記頭部を回動自在に軸支する軸受部と、前記軸受部に連接された操作管部と、前記操作管部に連接されたハンドル取着管から形成され、軸受部と操作管部は少なくとも一体形成される。ハンドル取着管は操作管部に一体形成でも別体形成でもよく、別体の場合には嵌合でも螺合でもよい。
前記軸受部は前記凹部と同じ側に位置する軸受主突部と反対側に位置する軸受従突部からなり、軸受主突部には前記凹部に対面して連通する一部切欠部が形成され、前記軸受主突部に連続する前記操作管部の取付側面には操作用開口部が前記一部切欠部に連通して開口されるから、後述するキー部が一部切欠き部と操作用開口部の全面積まで出入りできる大きさに設計でき、キー部の機械的強度を自在に調整できる。また、前記キー部は前記凹部に出没でき、前記凹部に没入して回動を固定し、前記凹部から脱出して回動可能に機能できる。
前記取付側面の後端側には取付用開口部が開口されてその内部を取付空間とし、前記取付側面には手指で操作可能な主操作片と先端にキー部を突設した従操作片からなるシーソートリガ部が配置され、前記シーソートリガ部から突設された一対の支点片を前記取付空間の周壁に取着して前記シーソートリガ部のシーソー動作を可能にしている。主操作片と従操作片の長さは自在に調整でき、手指は主操作片を操作するから、キー部の位置から手指の位置までの距離を長く設計でき、手指が把持部の払拭体により汚染される可能性は排除できるようになる。また、主操作片と従操作片とを傾斜させると、主操作片を手指操作する高さ位置を自在に設計でき、手指操作の円滑化を図れる。また、シーソートリガ部が使用者により外部から視認でき、且つ前記操作用開口部や一部切欠部も外部から視認できるので、多段の回動傾斜の構造が使用者に分かり、使用者が乱暴に扱うことが抑制されて、破損や破断等の事故を未然に防止できる。
前記主操作片と操作管部の間に配置されたスプリングにより前記主操作片は外方へと付勢され、前記従操作片のキー部は前記操作用開口部及び前記一部切欠部から前記凹部へと確実に没入して前記把持部の回動を阻止でき、把持部を一定状態に傾斜固定して、タンスや棚や電灯などの上側の見えない場所のハウスダストを簡単に清掃することを可能にする。
前記主操作片を手指により前記スプリングに抗して押下すると前記キー部は前記凹部から外方に抜脱して前記把持部の回動が自由になり、把持部の傾斜角度を変更することが手指操作だけで簡単に行え、しかも回動構造が視認化されており、破断事故などを抑制できるトリガ式多段回動型払拭体保持具を提供できる。
【００２７】
本発明の第２の形態によれば、前記一対の支点片の夫々に支点突起を突設し、前記取付空間を対向して囲む取付上板及び取付下板の対向面にシーソー用凹所を形成し、前記支点突起を前記シーソー用凹所に係合して、前記支点突起を支点として前記シーソートリガ部のシーソー動作を行うトリガ式多段回動型払拭体保持具が提供できる。
支点突起を支点として、主操作片と従操作片がシーソー動作を行い、主操作片と従操作片の交差角度を大きくすると、主操作片の上下方向へのストロークを大きくできる。その結果、従操作片のキー部の上下動作を使用者が確実に認識でき、キー部の凹部に対する出入動作を認識しながら使用者が主操作片を制御でき、多段回動で傾斜ロックされる把持部の不注意破断などを確実に防止することができるトリガ式多段回動型払拭体保持具が提供できる。
【００２８】
本発明の第３の形態によれば、コイル部の両端にスプリング長端とスプリング短端を有するキックスプリングを前記スプリングとして使用し、前記主操作片の裏面にスプリング長端用長溝を刻設し、前記取付側面の対向面にスプリング短端用溝を形成し、前記スプリング長端を前記スプリング長端用長溝に嵌め込み、前記スプリング短端を前記スプリング短端用溝に嵌め込むから、前記スプリングの横ずれを確実に防止できるトリガ式多段回動型払拭体保持具が提供できる。
前記スプリング短端用溝は前記取付側面が厚壁の場合には刻設して形成すればよいが、前記取付側面が薄壁の場合には突条を複数本肉盛り成形して突条間に谷状の溝を形成すればよく、機械的強度を低下させること無く溝成形することが望まれる。また、キックスプリングのコイル部も前記スプリング短端用溝に挿し込めば、コイル部の横ずれも防止でき、キックスプリングの横ずれを規制してキックスプリングの安定性を増大でき、ひいてはシーソートリガ部の長寿命化に貢献できる。
【００２９】
本発明の第４の形態によれば、前記対向面に２本の突条を突設し、２本の前記突条の間に形成される溝を前記スプリング短端用溝として用いるトリガ式多段回動型払拭体保持具が提供できる。
本形態は前記取付側面が薄壁の場合に、取付側面の機械的強度を保持しつつ、２本の突条間の溝をスプリング短端用溝として用い、キックスプリングの横ずれ防止の実用的技術を提案するものである。
【００３０】
本発明の第５の形態によれば、前記軸受主突部に環状凹部を形成し、前記環状凹部の下面に環状板部を有し、前記環状板部に前記一部切欠部が形成され、前記回動軸部は回動軸と回動鍔からなり、前記回動鍔に前記一部切欠部に連通する鍔切欠部が形成され、前記回動鍔を前記環状凹部に嵌合し、前記キー部が前記鍔切欠部と前記一部切欠部を通して前記凹部に没入できるトリガ式多段回動型払拭体保持具が提供できる。
把持部の頭部は軸受主突部と軸受従突部の間に狭着され、キー部が頭部の凹部に出入動作するためには、環状板部に一部切欠部を形成すると共に、環状板部を被覆する回動鍔にも鍔切欠部を形成する必要がある。鍔切欠部と一部切欠部とは相互に重なって一体として切欠部を構成し、この切欠部が前述した操作用開口部と連続した開口部を形成し、従操作片のキー部が二つの前記開口部を挿通して、頭部の前記凹部を出入することにより、頭部の回動と把持部の多段傾斜ロックを確実に達成することができる。
【００３１】
本発明の第６の形態によれば、前記軸受主突部には軸受主孔が開孔され、前記軸受従突部には軸受従孔が開孔され、前記回動軸部の回動軸は軸受主孔と頭部貫通孔と軸受従孔を挿通されるから、軸受主突部と軸受従突部の間の間隙部に把持部の頭部を狭着して回動軸により頭部の抜け止めを行って、且つ頭部の回動の自在性を確実にするものである。
また、前記回動軸の端部は軸止部材と結合されるから、軸受従突部側は軸止部材により回動軸の抜脱が阻止され、頭部が前記間隙部から脱離すること無く安定して回動自在に構成され、把持部の回動自在な連結が達成されるトリガ式多段回動型払拭体保持具が提供できる。
【００３２】
本発明の第７の形態によれば、前記スプリングのコイル部は小径のコイル部で取付空間の内部に配置されるトリガ式多段回動型払拭体保持具が提供できる。
前記スプリングとしてキックスプリングが採用されるとき、キックスプリングはコイル部の両端にスプリング長端とスプリング短端を有する構造を有しており、大径のコイル部を使用する場合と小径のコイル部を使用する場合に分かれる。小径のコイル部を使用する場合には、コイル部を取付空間内に空中保持することもできるし、コイル部を前述したスプリング短端用溝に挿し込んで横ずれを防止することもできる。
【００３３】
本発明の第８の形態によれば、前記コイル部にコイル軸を挿通し、前記コイル軸の両端を取付空間の周壁に取着するトリガ式多段回動型払拭体保持具が提供できる。
小径のコイル部を取付空間内に配置するとき、コイル部を安定化させる為に、コイル部を中空配置して、しかもコイル部と略同径のコイル軸をコイル部に挿通し、コイル軸を取付空間の周壁に取着すると、コイル部を空中配置でも安定化できる利点がある。取着方式には、取付空間の周壁に凹所を形成して、コイル軸の両端を凹所に内挿するだけで良い。
【００３４】
本発明の第９の形態によれば、前記シーソートリガ部の一対の支点片の夫々に支点孔を開孔し、前記スプリングのコイル部にコイル軸を挿通し、コイル軸の軸端の夫々を前記支点孔に挿通させ、更に前記シーソー用凹所に係合して、前記軸端を支点として前記シーソートリガ部のシーソー動作を行うトリガ式多段回動型払拭体保持具が提供できる。
コイル軸がシーソー用凹所に嵌合している限り、両支点片はコイル軸から抜脱することが無く、シーソートリガ部の安定性が確実に保証される。しかも、コイル部にコイル軸が挿通されているから、コイル部の安定性が確保され、スプリングを長寿命化できる利点がある。
【００３５】
本発明の第１０の形態によれば、前記スプリングとしてコイルスプリングが使用され、主操作片の裏面にコイル上側止部が形成され、操作管部又はハンドル取着管にコイル下側止部が形成され、コイルスプリングのコイル上端を前記コイル上側止部で固定し、コイル下端を前記コイル下側止部で固定し、コイルスプリングにより前記主操作片を外方に押圧付勢するトリガ式多段回動型払拭体保持具が提供される。
本形態は、シーソートリガ部のシーソー動作を、キックスプリングに替えてコイルスプリングで実現するものである。主操作片を常に外方に付勢するため、主操作片の裏面にコイルスプリングを配置して常に主操作片を外方へ押圧する形態を取っている。コイルスプリングを固定するためにコイル上側止部とコイル下側止部を設けるが、具体例として凹所を形成して嵌め込めばよいし、又は接着固定やコイル端の係止部を構成してもよい。
【００３６】
本発明の第１１の形態によれば、前記従操作片のキー部を従操作片の裏面に突設するトリガ式多段回動型払拭体保持具が提供される。
把持部の回動のオン・オフをキー部により実現するから、キー部の機械的強度を増大する必要がある。従って、キー部を従操作片の裏面に配置すると、キー部の根元の全体が従操作片に一体に連続するから、キー部の機械的強度を増大できる。
【００３７】
本発明の第１２の形態によれば、前記シーソートリガ部の主操作片の裏面に突板を突設し、操作管部の取付側面に長孔を形成し、シーソー動作により前記突板が前記長孔を出入可能にするトリガ式多段回動型払拭体保持具が提供できる。
主操作片に突板を突設すると主操作片の機械的強度を増大でき、しかもシーソートリガ部をシーソー動作させた場合に突板が長孔の中を出入りすることによりシーソー動作の安定性を格段に向上できる利点を有する。突板を２枚設けた場合には、突板と突板の間の主操作片裏面にキックスプリングのスプリング長端用長溝を形成したり、コイルスプリングの上側止部を形成し易い。また、長孔を２本設けた場合には、長孔と長孔の間にコイルスプリングの下側止部を形成することができる等、各種の対応構造を形成し易い利点がある。
【００３８】
本発明の第１３の形態によれば、前記第１〜１２形態のいずれかに記載のトリガ式多段回動型払拭体保持具を用い、前記把持具に払拭体を装着した清掃具が提供できる。
払拭体としては、パイル状モップや不織紙やスポンジ体など各種の清掃用払拭体が利用でき、払拭体を装着した把持部を適当な角度に傾斜させることにより、電灯や棚やタンス等の上側の見え難い部分の清掃が簡単に行える利点を有する。
【図面の簡単な説明】
【００３９】
【図１】図１は、本発明に係るトリガ式多段回動型払拭体保持具１の左側方からの分解斜視図である。
【図２】図２は、本発明に係るトリガ式多段回動型払拭体保持具１の右側方からの分解斜視図である。
【図３】図３は、本発明において、把持部１０をハンドル９０に対して水平状態に配置したトリガ式多段回動型払拭体保持具１の組立完成斜視図である。
【図４】図４は、本発明に係るトリガ式多段回動型払拭体保持具１の平面図である。
【図５】図５は、本発明に係るトリガ式多段回動型払拭体保持具１の把持部１０に払拭体９４を装着した清掃具９９の斜視図である。
【図６】図６は、本発明において、シーソートリガ部の支点止めとスプリングの横ずれ止めの構造図である。
【図７】図７は、本発明において、シーソートリガ部７０のキー部７３を頭部１４の凹部１６ａに押し込んで把持部１０を特定回動位置（水平傾斜位置）で固定したロック状態図である。
【図８】図８は、本発明において、シーソートリガ部７０のキー部７３を頭部１４の凹部１６ａから脱離してロックを解除し、把持部１０を回動可能にしたロック解除状態図である。
【図９】図９は、本発明において、キー部７３を凹部１６ａに押込みロックして把持部１０をハンドル９０に対し水平に配置した状態図である。
【図１０】図１０は、本発明において、キー部７３を凹部１６ｂに押込みロックして把持部１０をハンドル９０に対し４５度回動傾斜させた状態図である。
【図１１】図１１は、本発明において、キー部７３を凹部１６ｃに押込みロックして把持部１０をハンドル９０に対し９０度回動傾斜させた状態図である。
【図１２】図１２は、本発明において、キー部７３を凹部１６ｄに押込みロックして把持部１０をハンドル９０に対し１８０度回動傾斜させた状態図である。
【図１３】図１３は、本発明において、スプリング８０として小径のコイル部８１を有した長めのキックスプリングを用いた場合のロック状態の変形図である。
【図１４】図１４は、本発明において、スプリング８０の横ずれ防止のためにコイル軸８５をコイル部８１に挿通して支持する変形図である。
【図１５】図１５は、本発明において、スプリング８０として、コイルスプリング８６を主操作片７１の裏面側に配置したロック状態の変形図である。
【図１６】図１６は、本発明において、シーソートリガ部７０のキー部７３を強化するため従操作片７２の端縁下端面にキー部７３を突設形成した変形図である。
【図１７】図１７は、本発明において、シーソートリガ部７０の主操作片７１の裏面７１ｂに突板７１ａを形成し、操作管部４０を長く形成して長孔４０ａを刻設し、突板７１ａを長孔４０ａに出入させるようにした変形図である。
【発明を実施するための形態】
【００４０】
以下に、本発明に係るトリガ式多段回動型払拭体保持具及び清掃具の実施形態を添付する図面に従って詳細に説明する。
【００４１】
図１は、本発明に係るトリガ式多段回動型払拭体保持具１の左側方からの分解斜視図である。
トリガ式多段回動型払拭体保持具１は、後述する払拭体９４の装着用の把持部１０と、前記把持部１０を前端側に多段に回動傾斜させて連結固定する連結部２０と、前記連結部２０の後端側に取着されるハンドル９０から構成されている。
前記把持部１０の後方途中には上方に頭部１４を載設した首部１３が突設され、前方側が長めの把持部前長部１１及び後方側が短めの把持部後短部１２となっている。後述の図５から分かるように、払拭体９４は把持部前長部１１及びの両者を被覆するように装着され、把持部前長部１１及び把持部後短部１２のいずれが壁面などの対象物に衝突しても、払拭体がクッションになって対象物を傷つけないように構成される。勿論、首部１３を把持部の最後端に突設して把持部後短部１２が存在しない様に構成することもできる。
【００４２】
前記頭部１４は、前記把持部１０の幅方向に頭部貫通孔１５を軸芯状に設けた略円筒状に形成されており、前記頭部１４は円筒周面を有した板状基部１７と周方向に複数の凹部１６ａ〜１６ｄを隔壁１８を介して形成した凹部形成部１９に二分されている。前記凹部１６ａ〜１６ｄは周面１４ａと端面１４ｂの両者に開口して形成されている。凹部１６ａは水平用、凹部１６ｂは４５度傾斜用、凹部１６ｃは９０度傾斜用、凹部１６ｄは１８０度傾斜用、換言すれば逆水平用である。
板状基部１７を無くして、頭部１４の全周面を凹部形成部１９とし、前記凹部１６ａ〜１６ｄは軸方向の全長に亘って切欠かれてもよく、この場合には、前記凹部１６ａ〜１６ｄは周面１４ａと両側の端面１４ｂに開口して形成されることになる。また、前記凹部１６ａ〜１６ｄは４個形成されているが、傾斜角度の設定個数により段数は任意個数に設定できる。
【００４３】
前記連結部２０は、軸受部３０と操作管部４０とハンドル取着管５０を連接状に一体成形して構成されている。
前記軸受部３０は、把持部１０の頭部１４を回動自在に軸支する構造体で、前記凹部１６ａ〜１６ｄと同じ側に位置する軸受主突部３２と反対側に位置する軸受従突部３１からなり、前記頭部１４を軸受主突部３２と軸受従突部３１の間の間隙部３３に狭着状に挿入すると、頭部１４の両端面１４ｂ、１４ｂが軸受主突部３２と軸受従突部３１により狭着される。また、軸受主突部３２と軸受従突部３１には軸受主孔３２ａと軸受従孔３１ａが開孔されている。更に、軸受主突部３２には環状凹部３４が切欠かれ、その下側に環状板部３５が形成されている。この環状板部３５には一部切欠部３６が開口形成され、頭部１４が挿入されると前記一部切欠部３６は前記凹部１６ａ〜１６ｄのいずれかに対面して連通するように配置されている。
【００４４】
軸受主突部３２の外側に配置された回動軸部６０は回動鍔６３に回動軸６１を突設して構成され、前記回動鍔６３には鍔切欠部６４が形成され、前記回動軸６１には雌ネジ切りされた軸孔６２が開孔されている。他方、軸受従突部３１の外側には、雄ネジ切りされた軸止突部６９と軸止鍔６８からなる軸止部材６７が配置される。
頭部１４を軸受主突部３２と軸受従突部３１の間の間隙部３３に挿入し、回動軸６１を軸受主孔３２ａと頭部貫通孔１５及び軸受従孔３１ａに挿通し、回動軸６１の軸孔６２に軸止突部６９を螺合すると、回動軸部６０と軸止部材６７が螺着されて、頭部１４は軸受主突部３２と軸受従突部３１の間に抜脱不能且つ回動自在に連結される。この連結により、把持部１０はハンドル９０に対し回動自在になり、多段に傾斜固定できる。
また、回動鍔６３には鍔切欠部６４が形成されており、この鍔切欠部６４は環状板部３５の一部切欠部３６と対面して連通する。
【００４５】
また、操作管部４０が前記軸受主突部３２と前記軸受従突部３１に連接して設けられている。前記操作管部４０の軸受主突部３２に連続する取付側面４７ａには操作用開口部４１が前記一部切欠部３６に連通して開口され、操作用開口部４１と一部切欠部３６と鍔切欠部６４が後述するキー部７３が出入する開口部となる。
また、前記取付側面４７ａの後方側には取付用開口部４２が開口され、その内部には取付空間４４が形成されている。取付空間４４を上下に囲む取付上板４５と取付下板４６には一対のシーソー用凹所４３、４３が形成されている。
【００４６】
前記取付側面４７ａにはが配置され、このシーソートリガ部７０は手指で操作可能な主操作片７１と操作片中間部７４と先端にキー部７３を突設した従操作片７２から構成される。前記操作片中間部７４の幅方向両端から一対の支点片７６、７６が突設され、一対の支点片７６、７６の外側側面には支点突起７７、７７が突設されている。一対の支点片７６、７６を前記取付空間４４に挿入し、支点突起７７、７７を前記したシーソー用凹所４３、４３に圧入して係合すると、支点突起７７、７７を支点としてシーソートリガ部７０はシーソー動作を行うことができる。
【００４７】
この実施形態では、スプリング８０としてキックスプリングが用いられ、コイル部８１を中心として、その両端にスプリング長端８２とスプリング短端８３が形成されている。後述するように、スプリング長端８２は主操作片７１の裏面に係止され、とスプリング短端８３は取付空間４４の奥側面である取付側面４７ｂに係止される。
この結果、前記主操作片７１はスプリング長端８２の弾発力により外方へと付勢され、前記従操作片７２のキー部７３は前記操作用開口部４１と鍔切欠部６４と一部切欠部３６の開口部から前記凹部１６ａ〜１６ｄのいずれかに没入し、頭部１４は回動不能になり、前記把持部１０の回動が阻止される。従って、把持部１０は傾斜状態で回動がロックされることになる。また、前記主操作片７１を手指により前記スプリング８０に抗して押下すると、シーソートリガ部７０は支点突起７７、７７を支点としてシーソー動作し、前記キー部７３は前記凹部１６ａ〜１６ｄのいずれかから外方に抜脱し、前記把持部１０の回動が自由になる。
【００４８】
詳細に述べると、キー部７３が頭部１４の凹部１６ａ〜１６ｄのいずれかに没入すると頭部１４は回動不能になり、把持部１０は傾斜状態で回動ロックされる。前述したように、この実施形態では、前記凹部１６ａ〜１６ｄは４個であり、傾斜状態で言えば、凹部１６ａは水平用、凹部１６ｂは４５度傾斜用、凹部１６ｃは９０度傾斜用、凹部１６ｄは１８０度傾斜用（逆水平用）である。凹部の個数だけ傾斜状態が存在する。
また、回動自在になるためには、キー部７３が凹部１６ａ〜１６ｄから抜脱するだけで良く、キー部７３は操作用開口部４１、一部切欠部３６及び鍔切欠部６４から抜脱する必要はない。従って、キー部７３が凹部１６ａ〜１６ｄに出入するストローク長はそれほど長くは無く、シーソー動作も前記ストローク長を達成できる程度で良いことは云うまでもない。
【００４９】
操作管部４０の後方には仕切板４８を介してハンドル取着管５０が連続して配置されている。ハンドル９０はこのハンドル取着管５０に内嵌又は外嵌されて連結される。
清掃具の使用者は、ハンドル９０を持ちながら主操作片７１を押下するだけで回動ロックを解除し、把持部１０を清掃面に押し付けた状態でハンドル９０を所定角度だけ回動させると、キー部７３がスプリング８０の復帰力により隣の凹部に係合して回動ロックになり、前記所定角度だけ傾斜させることができる。更に傾斜させたい場合には、この操作を繰り返すだけで良い。
シーソートリガ部７０は主操作片７１と操作片中間部７４と従操作片７２の長さを有しているから、手指は払拭体からかなり離れており、手指が払拭体により汚染されることは無い。
【００５０】
図２は、本発明に係るトリガ式多段回動型払拭体保持具１の右側方からの分解斜視図である。図１と同符号の部材は作用効果が同一であるからその説明を省略し、茲では異なる符号のみ説明する。
シーソートリガ部７０の主操作片７１の裏面には長手方向にスプリング長端用長溝８２が刻設されており、スプリング長端８２は前記スプリング長端用長溝８２に嵌り込んで係止され、スプリング長端８２の横ずれが防止される。従って、スプリング８０が安定化される。また、軸受主突部３２の反対面に操作用開口部４１が矩形状に形成されている。
【００５１】
図３は、本発明において、把持部１０をハンドル９０に対して水平状態に配置したトリガ式多段回動型払拭体保持具１の組立完成斜視図である。図１と同符号の部材は作用効果が同一であるからその説明を省略し、茲では異なる符号のみ説明する。
本図では、キー部７３が凹部１６ａに係合して回動ロックされ、把持部１０はハンドル９０に対し水平に傾斜固定されている。キー部７３が凹部１６ａから脱離して回動自由になると、把持部１０は矢印ａ方向に回動自由になり、矢印ａ方向が多段回動方向になる。
【００５２】
図４は、本発明に係るトリガ式多段回動型払拭体保持具１の平面図である。従操作片７２が操作管部４０の取付側面４７ａに当接し、主操作片７１がスプリング８０により外方へ付勢されて上方へ傾斜突出していることが分かる。
【００５３】
図５は、本発明に係るトリガ式多段回動型払拭体保持具１の把持部１０に払拭体９４を装着した清掃具９９の斜視図である。
払拭体９４としては、パイル状モップや不織紙やスポンジ体など各種の清掃用払拭体が利用できる。図５では、払拭体９４としてパイル状モップが使用されている。払拭体９４の中央軸方向に袋部９５が形成され、払拭体前部９８ａ及び払拭体後部９８ｂを含めて袋部９５の全周にパイル９６が植設されている。袋部９５の上側後方の軸方向に挿入口９７が切り開かれている。この挿入口９７から把持部１０を挿入すると、清掃具９９が完成される。ハンドル９０は水平傾斜状態にあるが、実際にはハンドル９０を４５度傾斜又は９０度傾斜させて床面を清掃することが多い。このとき払拭体前部９８ａ及び払拭体後部９８ｂにもパイル９６が密植されているから、ハンドル９０を押し引きして清掃具９９が壁面に衝突しても、パイル９６のクッション作用により壁面が傷つくことは無い。
【００５４】
図６は、本発明において、シーソートリガ部の支点止めとスプリングの横ずれ止めの構造図である。
本図では、シーソートリガ部７０の一対の支点片７６、７６が、支点突起７７、７７を取付上板４５と取付下板４６のシーソー用凹所４３、４３に係合した状態が示されている。従って、支点片７６、７６を支点としてシーソートリガ部７０がシーソー動作することが分かる。
また、本図では、取付側板４７ｂに２本の突条４９、４９を突設し、２本の突条４９、４９の間にスプリング短端用短溝４９ａが結果的に形成される。このスプリング短端用短溝４９ａにスプリング８０のスプリング短端８３を嵌め込んで、スプリング８０の横ずれを防止することができる。また、スプリング８０のコイル部８１もこのスプリング短端用短溝４９ａに嵌め込まれており、スプリング短端８３と同時にコイル部８１の横ずれも規制され、スプリング８０の固定的安定性を増大できる。また、取付側板４７ｂにスプリング短端用短溝４９ａを刻設することも可能である。取付側板４７ｂが厚壁の場合に刻設が利用でき、薄壁の場合に２本の突条を利用することができる。
【００５５】
図７は、本発明において、シーソートリガ部７０のキー部７３を頭部１４の凹部１６ａに押し込み係合して把持部１０を特定回動位置（水平傾斜位置）で固定したロック状態図である
本図では、キー部７３が凹部１６ａに押し込まれて係合する結果、頭部１４の回動がロックされて回動不能状態になり、その結果、把持部１０がハンドルに対し水平傾斜状態に固定されることが示されている。また、回動軸部６０が軸止部材６７と螺合され、頭部１４が軸受主突部３２と軸受従突部３１に軸支されていることが分かる。
また、本図には、スプリング長端８２がスプリング長端用長溝７８に嵌め込まれ、スプリング短端８３が突条４９、４９の間のスプリング短端用短溝４９ａに嵌め込まれていることが示されている。しかも、コイル部８１もスプリング短端用短溝４９ａに同時に嵌め込まれていることが図示されている。
【００５６】
図８は、本発明において、シーソートリガ部７０のキー部７３を頭部１４の凹部１６ａから脱離してロックを解除し、把持部１０を回動可能にしたロック解除状態図である。
本図では、スプリング長端のバネ力に抗して手指で主操作部７１を押下して、キー部７３を凹部１６ａから脱離させ、頭部１４及び把持部１０が回動自由になった状態が示されている。しかし、キー部７３は操作用開口部４１、一部切欠部３６及び鍔切欠部６４には挿通されているが、頭部１４の回動自由状態は保持されている。主操作片７１の手指位置は把持部１０からかなり離れており、手指が汚染された払拭体で汚れることは無い。
【００５７】
図９は、本発明において、キー部７３を凹部１６ａに押込みロックして把持部１０をハンドル９０に対し水平に傾斜配置した状態図である。
キー部７３が凹部１６ａに押し込まれて係合し、キー部７３により頭部１４の回動が阻止される結果、把持部１０は水平傾斜状態で固定される。
【００５８】
図１０は、本発明において、キー部７３を凹部１６ｂに押込みロックして把持部１０をハンドル９０に対し４５度回動傾斜させた状態図である。
図９の状態から、主操作片７１を押下してキー部７３を凹部１６ａから脱離させ、脱離させたまま頭部１４を少し回動させると、キー部７３が隔壁に乗り上げ、更に回動を続けるとキー部が隣の凹部１６ｂにバネ力により自然に押し込まれて係合し、キー部７３により頭部１４の回動が阻止される結果、把持部１０は４５度傾斜状態で固定される。
【００５９】
図１１は、本発明において、キー部７３を凹部１６ｃに押込みロックして把持部１０をハンドル９０に対し９０度回動傾斜させた状態図である。
図１０の状態から、主操作片７１を押下してキー部７３を凹部１６ｂから脱離させ、脱離させたまま頭部１４を少し回動させると、キー部７３が隔壁に乗り上げ、更に回動を続けるとキー部が隣の凹部１６ｃにバネ力により自然に押し込まれて係合し、キー部７３により頭部１４の回動が阻止される結果、把持部１０は９０度傾斜状態で固定される。
【００６０】
図１２は、本発明において、キー部７３を凹部１６ｄに押込みロックして把持部１０をハンドル９０に対し１８０度回動傾斜させた状態図である
図１１の状態から、主操作片７１を押下してキー部７３を凹部１６ｃから脱離させ、脱離させたまま頭部１４を少し回動させると、キー部７３が隔壁に乗り上げ、更に回動を続けるとキー部が隣の凹部１６ｄにバネ力により自然に押し込まれて係合し、キー部７３により頭部１４の回動が阻止される結果、把持部１０は１８０度傾斜状態（逆水平傾斜状態）で固定される。
【００６１】
図１３は、本発明において、スプリング８０として小径のコイル部８１を有した長めのキックスプリングを用いた場合のロック状態の変形図である。
本図において、キックスプリングとして小径のコイル部８１が使用されており、小径であるが故に、コイル部８１を取付空間４４内に空中保持した状態が示されている。しかし、小径のコイル部８１を前述したスプリング短端用短溝４９ａに挿し込んで横ずれを防止することもできる。
【００６２】
図１４は、本発明において、スプリング８０の横ずれ防止のためにコイル軸８５をコイル部８１に挿通して支持する変形図である。
小径のコイル部８１を取付空間４４内に配置するとき、コイル部８１を安定化させる為に、コイル部８１を空中配置し、しかもコイル部８１と略同径のコイル軸８５をコイル部８１に挿通し、コイル軸端を取付空間４４の周壁に取着すると、コイル部８１を空中配置でも安定化できる利点がある。この場合、シーソートリガ部７０の一対の支点片７６、７６に支点孔７６ａ、７６ａを開孔し、コイル軸端８５ａ、８５ａを前記支点孔７６ａ、７６ａに夫々挿通する。一対の支点孔７６ａ、７６ａから上下に突出するコイル軸端８５ａ、８５ａをシーソー用凹所４３、４３に夫々内挿すれば、コイル軸８５が安定し、その結果スプリング８０も安定してその機能を発揮できる。
【００６３】
図１５は、本発明において、スプリング８０として、コイルスプリング８６を主操作片７１の裏面側に配置したロック状態の変形図である。
本図では、前記スプリング８０としてコイルスプリング８６が使用され、主操作片７１の裏面にコイル上側止部７９が形成され、操作管部４０又はハンドル取着管５０にコイル下側止部５２が形成され、コイルスプリング８６のコイル上端８６ａを前記コイル上側止部７９で固定し、コイル下端８６ｂを前記コイル下側止部５２で固定し、コイルスプリング８６により前記主操作片７１を外方に付勢している。コイル上側止部７９とコイル下側止部５２として、凹所が図示されているが、接着固定やコイル端の係止部を形成してもよい。
【００６４】
図１６は、本発明において、シーソートリガ部７０のキー部７３を強化するため、従操作片７２の端縁下端面にキー部７３を突設形成した変形図である。
この形態では、キー部７３を従操作片７２の裏面７２ｂに突設すればよいが、裏面７２ｂの最先端側、即ち従操作片端縁７３に面一になるようにキー部７３が形成されている。するトリガ式多段回動型払拭体保持具が提供される。把持部１０の回動のオン・オフをキー部７３により実現するから、キー部７３の機械的強度を増大する必要がある。従って、キー部７３を従操作片７２の裏面７２ｂに配置すると、キー部７３の根元の全体が従操作片７２に一体に連続するから、キー部７３の機械的強度を増大できる利点がある。
【００６５】
図１７は、本発明において、シーソートリガ部７０の主操作片７１の裏面７１ｂに突板７１ａを２枚形成し、操作管部４０を長く形成して２本の長孔４０ａ、４０ａを取付側板４７ａに刻設し、２枚の突板７１ａを２本の長孔４０ａに出入させるようにした変形図である。
主操作片７１に突板７１ａ、７１ａを突設すると主操作片７１の機械的強度を増大でき、しかもシーソートリガ部７０をシーソー動作させた場合に突板７１ａ、７１ａが長孔４０ａ、４０ａの中を出入りすることによりシーソー動作の安定性を格段に向上できる利点を有する。突板を２枚設けた場合には、突板７１ａと突板７１ａの間の主操作片裏面７１ｂにキックスプリングのスプリング長端用長溝７８を形成したり、コイルスプリング８６の上側止部７９を形成し易い。また、長孔を２本設けた場合には、長孔４０ａと長孔４０ａの間にコイルスプリング８６の下側止部５２を形成することができる等、各種の対応構造を形成し易い利点がある。
【００６６】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００６７】
以上詳述したように、本発明に係るトリガー式多段回動型払拭体保持具及び清掃具は、特に室内の目に見え難い高い場所、例えば電灯やタンスや棚等の上側面を清掃する場合に、払拭体を装着した把持部をハンドルに対し適当角度だけ傾斜させ、使用者はハンドルを把持して傾斜させた払拭体を前記上側面に当接させて往復させるだけで上側面を清掃することが可能になる。しかも、本発明では、手指による操作片を回動軸部からできるだけ離れた位置に配置できる構造を取ることによって手指が払拭体により汚染される可能性を極減し、しかも多段に回動して傾斜ロックできる構造を外部から視認できる構造にして使用者の注意力を喚起でき、把持部に無理な力を加えることが無く、ロック構造の破損やヘッドの切断といった事故を未然に防止することができる。従って、レンタルモップ業界や売り切りモップ業界の業態の活性化を図ることができる。
【符号の説明】
【００６８】
１          トリガー式多段回動型払拭体保持具
１０        把持部
１１        把持部前長部
１２        把持部後短部
１３        首部
１４        頭部
１４ａ      周面
１４ｂ      端面
１５        頭部貫通部
１６ａ      凹部
１６ｂ      凹部
１６ｃ      凹部
１６ｄ      凹部
１７        板状基部
１８        隔壁
１９        凹部形成部
２０        連結部
３０        軸受部
３１        軸受従突部
３１ａ      軸受従孔
３２        軸受主突部
３２ａ      軸受主孔
３３        間隙部
３４        環状凹部
３５        環状板部
３６        一部切欠部
４０        操作管部
４０ａ      長孔
４１        操作用開口部
４１ａ      開口部前端
４１ｂ      開口部後端
４２        取付用開口部
４３        シーソー用凹所
４４        取付空間
４５        取付上板
４６        取付下板
４７ａ      取付側面
４７ｂ      取付側面
４８        仕切板
４９ａ      スプリング短端用短溝
５０        ハンドル取着管
５２        コイル下側止部
６０        回動軸部
６１        回動軸
６２        軸孔
６３        回動鍔
６４        鍔切欠部
６７        軸止部材
６８        軸止鍔
６９        軸止突部
７０        シーソートリガ部
７１        主操作片
７１ａ      突板
７１ｂ      裏面
７２        従操作片
７２ａ      従操作片端縁
７２ｂ      裏面
７３        キー部
７４        操作片中間部
７６        支点片
７６ａ      支点孔
７７        支点突起
７８        スプリング長端用長溝
７９        コイル上側止部
８０        スプリング
８１        コイル部
８２        スプリング長端
８３        スプリング短端
８５        コイル軸
８５ａ      軸端
８６        コイルスプリング
８６ａ      コイル上端
８６ｂ      コイル下端
９０        ハンドル
９４        払拭体
９５        袋部
９６        パイル
９７        挿入口
９８ａ      払拭体前部
９８ｂ      払拭体後部
９９        清掃具
ａ          多段回動方向
【要約】
【課題】把持部を安全且つ清潔に多段傾斜固定できる払拭体保持具を提供する。
【解決手段】本発明のトリガ式多段回動型払拭体保持具は、払拭体９４用の把持部１０と多段回動傾斜用の連結部２０とハンドル９０からなり、把持部１０に突設状の頭部１４の周方向に複数凹部１６ａ〜１６ｄを設け、連結部２０は軸受主突部３２と軸受従突部３１で狭着する頭部１４を回動軸支する軸受部３０と操作管部４０とハンドル取着管５０からなり、軸受主突部３２には凹部に対面する一部切欠部３６を形成し、操作管部４０の取付側面４７ａに操作用開口部４１を一部切欠部３６に連通開口し、取付側面４７ａに取付用開口部４２を開口し、取付側面４７ａにスプリング８０で外方へ付勢される主操作片７１とキー部７３を有する従操作片７２のシーソートリガ部７０をシーソー動作可能に配置し、キー部を凹部に係合して回動を阻止し、キー部を凹部から抜脱して回動自在になる。
【選択図】図１【図１】
0005736498.tif 000002
【図２】
0005736498.tif 000003
【図３】
0005736498.tif 000004
【図４】
0005736498.tif 000005
【図５】
0005736498.tif 000006
【図６】
0005736498.tif 000007
【図７】
0005736498.tif 000008
【図８】
0005736498.tif 000009
【図９】
0005736498.tif 000010
【図１０】
0005736498.tif 000011
【図１１】
0005736498.tif 000012
【図１２】
0005736498.tif 000013
【図１３】
0005736498.tif 000014
【図１４】
0005736498.tif 000015
【図１５】
0005736498.tif 000016
【図１６】
0005736498.tif 000017
【図１７】
0005736498.tif 000018